(57)【要約】【課題】スペーサの係止を解除する際の作業性の向上を図ったコネクタハウジングを提供する。【解決手段】ハウジング１は、４つの壁部２、３、４、５を有する筒状に形成されて、内部に端子収容室１０を有し、１つの壁部２が、ハウジングの軸方向の前側壁部６と、スペーサ７と、を備え、スペーサの先端が、端子収容室に接離する上下方向に変位可能に設けられ変位することで前側壁部の後端６ａに係脱自在に設けられ、スペーサは、基端が固定されて前方に延在するアーム本体７１と、該アーム本体の先端にある自由端に設けられて端子収容室に収容された端子金具１６の移動を規制する移動規制部７２と、該移動規制部７２から前方に突出して前側壁部の後端に係止する凸部７３と、を有している。【選択図】図１
2019008967.tif 000002
【特許請求の範囲】
【請求項１】
４つの壁部を有する筒状に形成されて、内部に端子収容室を有するコネクタハウジングであって、
１つの前記壁部が、前記４つの壁部の軸方向の前方に位置する前側壁部と、スペーサと、を備え、
前記スペーサの先端が、前記端子収容室に接離する上下方向に変位可能に設けられ変位することで前記前側壁部の後端に係脱自在に設けられ、
前記スペーサは、基端が固定されて前方に延在するアーム本体と、該アーム本体の先端にある自由端に設けられて前記端子収容室に収容された端子金具の移動を規制する移動規制部と、該移動規制部から前方に突出して前記前側壁部の後端に係止する凸部と、を有していることを特徴とするコネクタハウジング。
【請求項２】
前記移動規制部には、前記前側壁部との間に治具を挿入するための治具挿入口が前記凸部に対してずれた位置に設けられ、
前記治具挿入口が、前方又は後方もしくはその両方に凹みつつ前記端子収容室から離れる上方に開口していることを特徴とする請求項１に記載のコネクタハウジング。
【請求項３】
前記凸部が前記前側壁部の後端に係止した状態で、前記凸部において、前記前側壁部の後端に接触する面は、前方に進むにしたがって下方に向けて傾斜していることを特徴とする請求項１または請求項２に記載のコネクタハウジング。
【請求項４】
前記前側壁部と対向する位置に設けられて前記端子収容室を画定する画定壁部を有し、
前記画定壁部には、前記凸部が前記前側壁部の後端に係止した際に、前記移動規制部を挿入させる規制部挿入孔が設けられ、
前記規制部挿入孔に前記移動規制部が挿入された状態で、前記移動規制部と前記規制部挿入孔の後端との間に隙間が形成されていることを特徴とする請求項１〜請求項３のうち何れか一項に記載のコネクタハウジング。
【請求項５】
前記凸部が前記前側壁部の後端に係止した状態で、前記アーム本体は、前記端子収容室から離れる上方に復元力を有していることを特徴とする請求項１〜請求項４のうち何れか一項に記載のコネクタハウジング。
【請求項６】
前記アーム本体は、易撓み部を有していることを特徴とする請求項１〜請求項５のうち何れか一項に記載のコネクタハウジング。
【請求項７】
請求項１〜請求項６のうち何れか一項に記載のコネクタハウジングと、
前記前側壁部と前記移動規制部との間に挿し込むための先細形状の治具と、を有していることを特徴とするコネクタ治具セット。
【発明の詳細な説明】
【技術分野】
【０００１】
本発明は、コネクタハウジング、コネクタ及びコネクタ治具セットに関するものである。
【背景技術】
【０００２】
自動車には、多種多様な電子機器が搭載され、電子機器に電力や制御信号等を伝えるために、ワイヤハーネスが配索されている。ワイヤハーネスは、複数の電線と、コネクタと、を備え、このコネクタを電子機器のコネクタや他のワイヤハーネスのコネクタに嵌合させることで、電子機器や他のワイヤハーネスに接続されている。
【０００３】
このようなワイヤハーネスに用いられるコネクタとしては、筒状のコネクタハウジングと、該コネクタハウジングに収容されるとともに電線の端末に取り付けられる端子金具と、を備えたものが一般的である（例えば、特許文献１参照）。
【０００４】
特許文献１に開示されたコネクタにあっては、図７に示すように、端子金具１１３が挿入される端子収容部１１１と、その周りを囲むフード部１１２とを備えている。端子収容部１１１には、リテーナ取付孔１２６が設けられ、ここに端子金具１１３を抜け止めするためのリテーナ１４０がフード部１１２に開設されたリテーナ挿通孔１３３を通して側方から取り付けられている。図７は、従来のコネクタを示す断面図である。
【０００５】
リテーナ１４０には、取外操作片部１４４が前方へ突設される一方、端子収容部１１１のうち取外操作片部１４４との対向面には、リテーナ取付孔１２６へ向かって内方へ傾斜した傾斜面１３５が形成されている。端子金具１１３を取り外すには、前方から挿入した治具Ｊを傾斜面１３５に当接させて斜め姿勢とし、その状態からリテーナ１４０の取外方向と反対方向へ傾動操作することで取外操作片部１４４を押圧する。このように、てこの原理を利用してリテーナ１４０を本係止位置から仮係止位置へ移動させて、端子金具１１３に対する係止を解除しつつ端子金具１１３を引き抜くようにしている。
【先行技術文献】
【特許文献】
【０００６】
【特許文献１】特開２００３−２７２７５０号公報
【発明の概要】
【発明が解決しようとする課題】
【０００７】
しかしながら従来のコネクタにあっては、例えば、端子金具１１３を挿し間違えた場合において、端子金具１１３の係止を解除してこれを取り外すには、治具Ｊを挿入し、この状態のまま傾動操作して、リテーナ１４０の係止を解除する必要があり、作業性が悪かった。
【０００８】
本発明の目的は、リテーナに相当する部材（スペーサ）の係止を解除する際の作業性の向上を図ったコネクタハウジングを提供することにある。
【課題を解決するための手段】
【０００９】
前記課題を解決し目的を達成するために、請求項１に記載された発明は、４つの壁部を有する筒状に形成されて、内部に端子収容室を有するコネクタハウジングであって、１つの前記壁部が、前記４つの壁部の軸方向の前方に位置する前側壁部と、スペーサと、を備え、前記スペーサの先端が、前記端子収容室に接離する上下方向に変位可能に設けられ変位することで前記前側壁部の後端に係脱自在に設けられ、前記スペーサは、基端が固定されて前方に延在するアーム本体と、該アーム本体の先端にある自由端に設けられて前記端子収容室に収容された端子金具の移動を規制する移動規制部と、該移動規制部から前方に突出して前記前側壁部の後端に係止する凸部と、を有していることを特徴とするコネクタハウジングである。
【００１０】
請求項２に記載された発明は、請求項１に記載の発明において、前記移動規制部には、前記前側壁部との間に治具を挿入するための治具挿入口が前記凸部に対してずれた位置に設けられ、前記治具挿入口が、前方又は後方もしくはその両方に凹みつつ前記端子収容室から離れる上方に開口していることを特徴とするものである。
【００１１】
請求項３に記載された発明は、請求項１または請求項２に記載の発明において、前記凸部が前記前側壁部の後端に係止した状態で、前記凸部において、前記前側壁部の後端に接触する面は、前方に進むにしたがって下方に向けて傾斜していることを特徴とするものである。
【００１２】
請求項４に記載された発明は、請求項１乃至請求項３のうち何れか一項に記載の発明において、前記前側壁部と対向する位置に設けられて前記端子収容室を画定する画定壁部を有し、前記画定壁部には、前記凸部が前記前側壁部の後端に係止した際に、前記移動規制部を挿入させる規制部挿入孔が設けられ、前記規制部挿入孔に前記移動規制部が挿入された状態で、前記移動規制部と前記規制部挿入孔の後端との間に隙間が形成されていることを特徴とするものである。
【００１３】
請求項５に記載された発明は、請求項１乃至請求項４のうち何れか一項に記載の発明において、前記凸部が前記前側壁部の後端に係止した状態で、前記アーム本体は、他の前記壁部から離れる上方に復元力を有していることを特徴とするものである。
【００１４】
請求項６に記載された発明は、請求項１乃至請求項５のうち何れか一項に記載の発明において、前記アーム本体は、易撓み部を有していることを特徴とするものである。
【００１５】
請求項７に記載された発明は、請求項１〜請求項６のうち何れか一項に記載のコネクタハウジングと、前記前側壁部と前記移動規制部との間に挿し込むための先細形状の治具と、を有していることを特徴とするコネクタ治具セットである。
【発明の効果】
【００１６】
請求項１に記載の発明によれば、スペーサに形成された凸部が、前側壁部の後端に係止することで、移動規制部により端子金具の移動を規制した状態（規制状態）が維持される。ここで、端子金具の規制状態を解除して端子金具を取外し可能な状態にするには、凸部の前側壁部の後端への係止を解除する必要があるが、例えば治具を前側壁部と移動規制部との間に挿入することで、移動規制部が後方に移動されアーム本体が撓んで凸部の係止が解除される。従って、治具を前側壁部とスペーサの移動規制部との間に挿入する１つの動作で、凸部の前側壁部に対する係止を解除することができる。即ち、従来技術の如く、治具を挿入し、この状態のまま傾動操作する必要がないので、スペーサの係止を解除する際の作業性の向上を図ることができる。
【００１７】
請求項７に記載の発明によれば、コネクタハウジングと、前側壁部と移動規制部との間に挿し込むための先細形状の治具と、を有している。従って、スペーサの係止を解除する際の作業性の向上を図ることができる。
【図面の簡単な説明】
【００１８】
【図１】本発明の実施形態に係るコネクタハウジングを示す斜視図である。
【図２Ａ】本発明の実施形態に係るコネクタを前方から見た平面図である。
【図２Ｂ】図２Ａ中のＩ−Ｉ線に沿う断面図である。
【図３Ａ】図１に示すコネクタハウジングの側面図である。
【図３Ｂ】前記コネクタハウジングにおいて、スペーサが前側壁部に係止した状態を示す側面図である。
【図４Ａ】前記コネクタハウジングを前方から見た平面図である。
【図４Ｂ】図４Ａ中のＩＩ−ＩＩ線に沿う断面図である。
【図４Ｃ】図４Ｂの要部を拡大して示す断面図である。
【図５Ａ】前記スペーサが前記前側壁部に係止した状態を示す断面図である。
【図５Ｂ】図５Ａに続く動作を説明するための図であり、前記スペーサの前記前側壁部に対する係止が解除される様子を示す断面図である。
【図５Ｃ】前記スペーサの前記前側壁部に対する係止が解除された状態を示す断面図である。
【図６Ａ】前記スペーサの前記前側壁部に対する係止が解除される様子を示す断面図である。
【図６Ｂ】図６Ａに続く動作を説明するための図であり、端子金具が端子収容室から引き抜かれる様子を示す断面図である。
【図７】従来のコネクタを示す断面図である。
【発明を実施するための形態】
【００１９】
以下、本発明の実施形態を図面に基づいて説明する。図１は、本発明の実施形態に係るハウジング１（コネクタハウジング）を示す斜視図である。本実施形態のハウジング１は、図２Ａ、図２Ｂに示すように、ジョイントコネクタ１１（以下、コネクタ１１と記す）を構成する。コネクタ１１は、図２Ｂに示すように、複数本（実施例では４本）の電線１２及び端子金具１６とともに、自動車等に配索されるワイヤハーネス（図示しない）を構成する。各電線１２は、導電性の芯線１３と、この芯線１３を被覆する絶縁性の被覆部１４と、を備え、各電線１２の端部が端子金具１６に電気的及び機械的に接続される。また、４本の電線１２は、端子金具１６を介して後述するジョイントバスバ１５により導通接続される。
【００２０】
コネクタ１１は、図２Ｂに示すように、ジョイントバスバ１５と、ジョイントバスバ１５及び端子金具１６を収容する筒状のハウジング１（コネクタハウジング）と、を備えている。図面において、筒状のハウジング１の軸方向（前後方向）を矢印Ｘで示し、矢印Ｘに直交する方向（左右方向）を矢印Ｙで示し、矢印Ｘと矢印Ｙの双方向に直交する方向（上下方向）を矢印Ｚで示す。また、端子金具１６の（後述する）端子収容室１０への挿入方向側を「前方」と記し、反対方向を「後方」と記す場合がある。
【００２１】
なお、本実施形態では、ハウジング１をコネクタハウジングの一例として説明するが、コネクタハウジングは、雌型端子金具である端子金具１６を収容する雌型コネクタハウジングであり、相手方の雄型コネクタハウジングと嵌合接続されるものであってもよい。
【００２２】
端子金具１６は、図２Ｂに示すように、導電性の板金に打抜き加工と曲げ加工が施されて形成されたものである。この端子金具１６は、電線１２を接続させる電線接続部１７と、ジョイントバスバ１５の各タブ１５Ａを挿入接続させる電気接触部１８と、電線接続部１７と電気接触部１８との間に位置してこれらを連結する連結部１９と、を一体に備えて構成されている。電気接触部１８は、四角筒状に形成されている。電気接触部１８は、上方に開口する開口部１８Ａを有し、ハウジング１の後述するランス８Ａが、開口部１８Ａの前端に係止するように構成されている。
【００２３】
このような端子金具１６は、図２Ｂに示すように、ハウジング１の端子収容室１０に挿入され、端子収容室１０の所定位置にある際に、ジョイントバスバ１５の各タブ１５Ａが電気接触部１８に挿入接続されている。この際、ハウジング１のランス８Ａが、電気接触部１８の開口部１８Ａに係止するようになっている。また、端子金具１６がランス８Ａにより係止された後、スペーサ７が、ハウジング１の前側壁部６に係止すると、スペーサ７の移動規制部７２の突起７２２を含む一部が、端子金具１６の電気接触部１８と電線接続部１７との間の連結部１９に位置する。こうして、端子金具１６の後方への移動が規制されて、端子金具１６の抜けが防止される。
【００２４】
ハウジング１は、図１、図２Ａに示すように、上下左右の壁部２、３、４、５（４つの壁部）を有する筒状に形成されて、内部に左右に並びつつ前後方向に延在する複数（図示例では４つ）の端子収容室１０（図２Ａに示す）を有している。また、上下左右の壁部２、３、４、５のうち、上方に位置する上壁２（１つの壁部）が、図１、図２Ｂに示すように、前側壁部６と、該前側壁部６の後端６ａに係脱自在に設けられたスペーサ７と、を備えている。
【００２５】
さらに、ハウジング１は、図２Ａ、図２Ｂに示すように、上壁２と下壁３の間に設けられた櫛歯状のランス８Ａを含む隔壁８（画定壁部）と、ハウジング１の内部を左右に並ぶ４つの端子収容室１０に仕切るための複数（図示例では３つ）の仕切り壁９と、を有している。即ち、端子収容室１０は、下方に位置する下壁３、隔壁８及び３つの仕切り壁９により画定されている。
【００２６】
隔壁８は、図２Ｂに示すように、上壁２と下壁３との間において、前側壁部６と対向する位置にあり、その後端がスペーサ７の後端（基端）に連続されている。また、隔壁８の前端部には、端子金具１６の開口部１８Ａを係止するためのランス８Ａが設けられている。このランス８Ａの前端は、ハウジング１の前後の中間より前方側に位置している。
【００２７】
さらに、隔壁８には、スペーサ７が前側壁部６に係止した際に、スペーサ７の後述する移動規制部７２を挿入させるための規制部挿入孔８０が設けられている。規制部挿入孔８０は、ハウジング１の前後の中間部に位置している。また、規制部挿入孔８０は、該規制部挿入孔８０に移動規制部７２が挿入された状態で、移動規制部７２と規制部挿入孔８０の後端８０ａとの間に、当該移動規制部７２が後方に移動可能なように隙間（移動スペースＳ）が空くように形成されている。移動スペースＳは、その前後寸法が、スペーサ７の前側壁部６に対する係止を解除する際に移動規制部７２が後方に移動する距離と略等しい寸法になるように形成されている。
【００２８】
前側壁部６は、その後端６ａが、規制部挿入孔８０の前端より前方に位置するように形成されている。また、前側壁部６における後端６ａの上端６１は、図３Ａ、図３Ｂに示すように、角部が切り落とされた（面取りされた）傾斜面となっている。上端６１は、後方に進むにしたがって下方に向けて傾斜する平坦な面から構成されている。
【００２９】
スペーサ７は、図２Ｂ、図４Ａ、図４Ｂ、図４Ｃに示すように、前後に延在する板状のアーム本体７１（図２Ｂ、図４Ｂに示す）と、該アーム本体７１の前端（先端）にある自由端に設けられて端子収容室１０に収容された端子金具１６（図２Ｂに示す）の移動を規制する移動規制部７２と、該移動規制部７２から前方に突出して前側壁部６の後端６ａに係止する凸部７３と、を有している。なお、図４Ａにおいて、端子金具１６は省略されている。
【００３０】
アーム本体７１は、図３Ａ、図３Ｂに示すように、その基端が隔壁８の後端に連結されるとともに壁部４、５に固定されて、自由端である前端が上下に変位可能となるように設けられている。そして、アーム本体７１の自由端は、前側壁部６に係止した係止状態（図３Ｂに示す）と、前側壁部６への係止が解除された係止解除状態（図３Ａに示す）と、に変位可能になっている。このアーム本体７１は、係止解除状態では復元力を有さない自然状態であり、係止状態では上方に向かう復元力を有している。
【００３１】
また、アーム本体７１は、図５Ａ〜図５Ｃに示すように、板厚が比較的厚い中央部分７１Ａと、中央部分７１Ａから前方に向かうにしたがって徐々に板厚が薄くなるように形成された前側部分７１Ｂと、中央部分７１Ａから後方に向かうにしたがって徐々に板厚が薄くなるように形成された変化部７１Ｃと、変化部７１Ｃから後端まで板厚が略一定な後側部分７１Ｄと、を有して構成されている。このようなアーム本体７１は、図５Ｂに示すように、移動規制部７２を介して後方に力が作用（矢印ａ）した際に、前側部分７１Ｂと中央部分７１Ａとの境界部７１０（以下、「易撓み部７１０」と記す）が撓み、全体が山型形状となって、移動規制部７２を後方に移動させるように構成されている。
【００３２】
移動規制部７２は、図６Ａに示すように、アーム本体７１の前側部分７１Ｂに連続されるとともに、アーム本体７１の延在方向（前後左右）に交差する方向に張り出して、移動規制部７２及びアーム本体７１の側面視が略Ｔ字状となるように形成されている。この移動規制部７２には、アーム本体７１の延在方向（前後左右）に交差する方向に延在する第１平坦面７２Ａと、第１平坦面７２Ａの下端に連続される第２平坦面７２Ｂと、が設けられている。
【００３３】
第１平坦面７２Ａには、図１、図６Ａに示すように、上方から治具１００が挿入される治具挿入口７２０（図１に示す）と、複数（図示例では４つ）の凹み形状の端子受け部７２１と、が設けられている。治具挿入口７２０は、図１に示すように、第１平坦面７２Ａの左右の略中央部に設けられ、当該第１平坦面７２Ａから後方に凹みつつ、上方に開口するように形成されている。端子受け部７２１は、図６Ａに示すように、第１平坦面７２Ａの下端部に位置し、凸部７３が前側壁部６に係止した状態で各端子金具１６の電気接触部１８の後方に位置するように設けられている。
【００３４】
第２平坦面７２Ｂには、図６Ａに示すように、凸部７３が前側壁部６に係止した状態で、下方に突出して設けられて、端子金具１６の電気接触部１８と電線接続部１７との間の連結部１９に嵌る突起７２２が設けられている。第２平坦面７２Ｂは、凸部７３が前側壁部６に係止した状態で、前側壁部６の延在方向と略平行になるように形成されている。また、第２平坦面７２Ｂは、凸部７３が前側壁部６に係止した状態で、端子金具１６の電気接触部１８の上端よりも下方に位置している。こうして、凸部７３が前側壁部６に係止した状態で、移動規制部７２の突起７２２を含む一部により、端子金具１６の移動が規制される。
【００３５】
凸部７３は、図１に示すように、複数（図示例では２つ）設けられている。２つの凸部７３は、治具挿入口７２０の左右の両側において、第１平坦面７２Ａの上端から僅かに下方にずれた位置に設けられている。各凸部７３は、図４Ｃに示すように、第１平坦面７２Ａから前方に突出形成されているとともに、先端に向かうにしたがって、徐々に先細となるような台形状に形成されている。また、凸部７３は、第１平坦面７２Ａと略平行な長方形状の頂面７３Ａと、頂面７３Ａの上辺に連続される長方形状の上面７３Ｂと、頂面７３Ａの下辺に連続される長方形状の下面７３Ｃと、頂面７３Ａの左右の各辺に連続される左右の台形状の各面７３Ｄと、を有して構成されている。上面７３Ｂは、前方に進むにしたがって、下方に向けて傾斜する傾斜面から構成されている。下面７３Ｃは、前方に進むにしたがって、上方に向けて傾斜する傾斜面から構成されている。
【００３６】
このような凸部７３は、図２Ｂ、図４Ｃに示すように、前側壁部６に係止した状態で、上面７３Ｂが、前側壁部６の後端６ａを構成する下側の角部６２に当接している。
【００３７】
次に、コネクタ１１に端子金具１６を接続する手順を、図３Ａ及び図２Ｂを参照して説明する。
【００３８】
予め、各電線１２の端部を各端子金具１６の電線接続部１７に接続しておく。
【００３９】
まず、図３Ａの状態で、ハウジング１の所定位置に、各タブ１５Ａの先端が後方を向く格好でジョイントバスバ１５を設置する。
【００４０】
そして、各端子金具１６の電気接触部１８を、端子収容室１０の後端に近付けて、前方に挿入すると、電気接触部１８の前端がランス８Ａに当接する。さらに挿入すると、電気接触部１８の前端がランス８Ａを押し上げ、押し上げられたランス８Ａが、電気接触部１８の前端部を乗り越えて、開口部１８Ａに嵌る。こうして、ランス８Ａが、端子金具１６の開口部１８Ａの前端に係止する。これと略同時に、ジョイントバスバ１５の各タブ１５Ａが、電気接触部１８に挿入接続される。このようにして、図２Ｂに示すように、端子金具１６が端子収容室１０の所定位置に到達する。これを、接続するすべての端子金具１６について行う。
【００４１】
次に、スペーサ７の移動規制部７２を下方に押す。すると、凸部７３の下面７３Ｃがハウジング１の前側壁部６の上端６１に当接する。この状態で、さらに押すことで、アーム本体７１の易撓み部７１０が撓みつつ移動規制部７２が後方に移動し、凸部７３が前側壁部６より下方に位置する。この後、凸部７３の上面７３Ｂが、前側壁部６の角部６２に当接する。こうして、スペーサ７の凸部７３が前側壁部６に係止する。この状態で、移動規制部７２の第２平坦面７２Ｂや突起７２２は、ハウジング１の規制部挿入孔８０に挿入されている。こうして、移動規制部７２により、端子金具１６の後方への移動が規制されて、端子金具１６の抜けが防止される。
【００４２】
次に、スペーサ７の前側壁部６への係止を解除する手順を、図５Ａ〜図５Ｃ、図６Ａ、図６Ｂを参照して説明する。スペーサ７の前側壁部６への係止を解除する際には、図６Ａに示す先細形状の治具１００を用いる。本実施形態において治具１００は、側面視が直角三角形となるように一つ垂直面と、先端に向かうにしたがって厚みが小さくなるような１つの傾斜面と、を先端部に有しているが、当該先端部は、側面視が先端に向かう辺が等辺になる二等辺三角形となるように２つの傾斜面を有していてもよい。
【００４３】
まず、図６Ａに示すように、治具１００の先端を治具挿入口７２０に向けて下方に挿し込む。治具１００の下方への挿入に伴って、移動規制部７２が後方に押される。即ち、移動規制部７２に後方に向かう力が作用することにより、アーム本体７１は、易撓み部７１０が撓み、全体が山型形状となって、移動規制部７２を後方に移動させる。こうして、移動規制部７２は、規制部挿入孔８０内の移動スペースＳに移動する。このような移動規制部７２の後方への移動に伴って、前側壁部６の角部６２に対して凸部７３の上面７３Ｂが移動される。この後、図５Ｂ、図５Ｃ及び図６Ｂに示すように、前側壁部６の角部６２と凸部７３の上面７３Ｂとの当接が解除されて、凸部７３の前側壁部６への係止が解除され、スペーサ７は、アーム本体７１の復元力（矢印ｂ）により跳ね上がる。
【００４４】
これによれば、治具１００を前側壁部６とスペーサ７の移動規制部７２との間に挿入する１つの動作で、スペーサ７の前側壁部６に対する係止を解除することができる。即ち、従来技術の如く、治具１００を挿入し、この状態のまま傾動操作する必要がないので、スペーサ７の係止を解除する際の作業性の向上を図ることができる。
【００４５】
また、移動規制部７２に、治具１００を挿入するための治具挿入口７２０が設けられている。これによれば、治具１００を治具挿入口７２０に挿入することにより、移動規制部７２を介して、アーム本体７１に当該アーム本体７１を撓ませる力を作用させることができるから、スペーサ７の係止を解除する際の作業性の向上をより一層、図ることができる。
【００４６】
また、凸部７３が前側壁部６の後端６ａに係止した状態で、凸部７３において、前側壁部６の後端６ａに接触する上面７３Ｂは、前方に進むにしたがって下方に向けて傾斜する傾斜面を有している。このように、前側壁部６の後端６ａに接触する上面７３Ｂが傾斜面を有していることにより、治具１００を治具挿入口７２０に挿入した際に、前側壁部６の後端６ａに対して凸部７３が移動され易くなる。そして、アーム本体７１が撓み、前側壁部６の後端６ａに対する凸部７３の係止力（摩擦力）よりも、アーム本体７１の復元力（矢印ｂ）が勝った際に、前側壁部６の後端６ａに対する凸部７３の当接が解除される。こうして、凸部７３の前側壁部６への係止が解除される。従って、凸部７３の前側壁部６への係止の解除を小さな力で行うことができる。従って、スペーサ７の係止を解除する際の作業性の向上をより一層、図ることができる。
【００４７】
また、規制部挿入孔８０に移動規制部７２が挿入された状態で、移動規制部７２と規制部挿入孔８０の後端８０ａとの間に、当該移動規制部７２を後方に移動可能なように移動スペースＳ（隙間）が形成されている。これによれば、治具１００により移動規制部７２が後方に押された際に、この移動スペースＳに移動規制部７２が移動して、凸部７３の前側壁部６の後端６ａに対する係止が解除される。このように移動規制部７２が移動するための移動スペースＳ（空間）が予め設けられていることで、移動規制部７２が移動され易くなり、スペーサ７の係止を解除する際の作業性の向上をより一層、図ることができる。
【００４８】
また、凸部７３が前側壁部６の後端６ａに係止した状態で、アーム本体７１は、３つの壁部３、４、５から離れる上方に復元力（矢印ｂ）を有している。ここで、治具１００を治具挿入口７２０に挿入した際に、アーム本体７１が撓み、前側壁部６の後端６ａに対する凸部７３の係止力（摩擦力）よりも、アーム本体７１の復元力（矢印ｂ）が勝った時に、前側壁部６の後端６ａに対する凸部７３の当接が解除されるが、アーム本体７１は、当該復元力（矢印ｂ）を有していることで、凸部７３の前側壁部６への係止の解除をより一層小さな力で行うことができる。従って、スペーサ７の係止を解除する際の作業性の向上をより一層、図ることができる。
【００４９】
また、アーム本体７１には易撓み部７１０が設けられている。このように易撓み部７１０が設けられていることで、アーム本体７１全体を撓ませるのに比して小さな力で易撓み部７１０を撓ませることができる。従って、スペーサ７の係止を解除する際の作業性の向上をより一層、図ることができる。
【００５０】
なお、本発明は、前記実施形態に限定されるものではなく、本発明の目的が達成できる他の構成等を含み、以下に示すような変形等も本発明に含まれる。
【００５１】
例えば、前記実施形態では、ハウジング１のランス８Ａが、端子金具１６に係止するように構成されているが、本発明はこれに限定されるものではない。ハウジング１はランス８Ａを有していなくともよい。その場合には、治具１００を前側壁部６とスペーサ７の移動規制部７２との間に挿入する１つの動作で、端子金具１６を引抜き可能な状態とすることができるから、端子金具１６を取り外す際の作業性の向上を図ることができる。
【００５２】
また、前記実施形態では、治具挿入口７２０は、第１平坦面７２Ａから後方に凹みつつ、上方に開口するように形成されているが、本発明はこれに限定されるものではない。治具挿入口は、前側壁部６の後端６ａに設けられていてもよい。その場合には、前側壁部６の後端６ａから前方に凹みつつ上方に開口するように形成されていてもよい。または、治具挿入口は、前方及び後方の両方に凹みつつ上方に開口するように形成されていてもよい。
【００５３】
その他、本発明を実施するための最良の構成、方法などは、以上の記載で開示されているが、本発明は、これに限定されるものではない。すなわち、本発明は、主に特定の実施形態に関して特に図示され、且つ、説明されているが、本発明の技術的思想および目的の範囲から逸脱することなく、以上述べた実施形態に対し、形状、材質、数量、その他の詳細な構成において、当業者が様々な変形を加えることができるものである。従って、上記に開示した形状、材質などを限定した記載は、本発明の理解を容易にするために例示的に記載したものであり、本発明を限定するものではないから、それらの形状、材質などの限定の一部、もしくは全部の限定を外した部材の名称での記載は、本発明に含まれるものである。
【符号の説明】
【００５４】
１                    ハウジング（コネクタハウジング）
２、３、４、５        上壁（１つの壁）、下壁、左右の壁（４つの壁部）
６                    前側壁部
７                    スペーサ
８                    隔壁（画定壁部）
１０                  端子収容室
１１                  ジョイントコネクタ（コネクタ）
１６                  端子金具
７１                  アーム本体
７２                  移動規制部
７３                  凸部
７３Ｂ                上面
８０                  規制部挿入孔
１００                治具
７１０                易撓み部
Ｓ                    移動スペース（隙間）
【図１】
2019008967.tif 000003
【図２Ａ】
2019008967.tif 000004
【図２Ｂ】
2019008967.tif 000005
【図３Ａ】
2019008967.tif 000006
【図３Ｂ】
2019008967.tif 000007
【図４Ａ】
2019008967.tif 000008
【図４Ｂ】
2019008967.tif 000009
【図４Ｃ】
2019008967.tif 000010
【図５Ａ】
2019008967.tif 000011
【図５Ｂ】
2019008967.tif 000012
【図５Ｃ】
2019008967.tif 000013
【図６Ａ】
2019008967.tif 000014
【図６Ｂ】
2019008967.tif 000015
【図７】
2019008967.tif 000016